(57)【特許請求の範囲】
【請求項１】
下階床と上階床間に設けられた階段の上側に上枠体を設置し、前記階段の下側に下枠体を設置し、前記階段の始端部及び終端部に夫々表裏を貫通する穴を設け、この穴を通して複数の移動踏段を無端状に連結し、前記移動踏段の往路側が上枠体内を走行し、前記移動踏段の帰路側が下枠体内を走行するエスカレーターにおいて、前記階段の傾斜部に表裏を貫通する穴を設け、この穴を通して前記上枠体と前記下枠体とを支持体により連結し、前記下枠体を前記下階床で支柱により支持したことを特徴とするエスカレーター。
【発明の詳細な説明】
【０００１】
【発明の属する技術分野】
本発明は、下階床から上階床に至る階段に設置されるエスカレーターの構成に関する。
【０００２】
【従来の技術】
従来、既設階段上に設置されるエスカレーターは、例えば特開平８−１４３２５７  号公報に記載のように構成されている。
【０００３】
【発明が解決しようとする課題】
上記従来技術は、既設階段の改築工事の範囲及び費用低減と、設置スペースの縮小について言及するのみで、その上枠体と下枠体の支持構成や全体の強度保持については配慮されていなかった。
【０００４】
本発明の目的は、既設階段の改築工事を最小限にすることは勿論のこと、上枠体と下枠体を支持するに好適なエスカレーターの構成を提供することにある。
【０００５】
【課題を解決するための手段】
上記目的は、下階床と上階床間に設けられた階段の上側に上枠体を設置し、前記階段の下側に下枠体を設置し、前記階段の始端部及び終端部に夫々表裏を貫通する穴を設け、この穴を通して複数の移動踏段を無端状に連結し、前記移動踏段の往路側が上枠体内を走行し、前記移動踏段の帰路側が下枠体内を走行するエスカレーターにおいて、前記階段の傾斜部に表裏を貫通する穴を設け、この穴を通して前記上枠体と前記下枠体とを支持体により連結し、前記下枠体を前記下階床で支柱により支持することにより達成される。
【０００６】
また、上記目的は、前記上枠体に対して前記階段上に支持される支持台を設けて、強度保持する構成とすることにより達成される。
【０００７】
上記前段の構成によれば、移動踏段の往路側を階段表の上側を、同帰路側を階段裏の下側を通しているので、ほぼ移動踏段の帰路側の分、階段表の高さ寸法が縮減できて乗客の移動路（頭上）高さに余裕ができ、また、エスカレーター上に屋根がある場合は、それの改造工事が不要となる一方、エスカレーターの主枠である前記上枠体と下枠体とを夫々階段の始端部，終端部及び傾斜部を貫通して連結するとともに、前記下枠体を前記下階床で支持する支柱を設けてあるので、前記上枠体と下枠体同士は勿論、主枠全体の支持構成がより確実となって強度保持に好適なものとなる。
【０００８】
また、上記後段の構成によれば、主枠構成品で最も負荷（乗客荷重）がかかる上枠体の要所が支持台を介して階段によって強度保持されるのでより確実な支持構成となる。
【０００９】
【発明の実施の形態】
以下、本発明によるエスカレーター１の第１の実施例の形態を図１及び図２に基づいて説明する。建屋の上階床１Ｕと下階床１Ｄとの間に設置された例えば既設の階段２は、上部が上階床１Ｕに連結され、下部が下階床１Ｄに支持された階段枠３と、この階段枠３上の例えばコンクリートなどで成形された段々状の階段部４と踊り場２Ａ（これが存在しない場合もある）で構成されている。
【００１０】
このような階段２の始端部４Ａ（下部），終端部４Ｂ（上部）及び傾斜部４Ｃ（図には踊り場２Ａの所を例示す）に夫々表裏を貫通する貫通穴６，７，８を設け、このうちの貫通穴６，７を通して複数の移動踏段９が踏段チェーン９Ｃを介して無端状に連結されている。これら移動踏段９を連結した踏段チェーン９Ｃは上部反転部で駆動鎖車１０に巻掛けられ、下部反転部で従来鎖車１１に巻掛けられている。なお、貫通穴６の所には土木のピット１２が設けられている。
【００１１】
このように連結された移動踏段９の往路側９Ａは、エスカレーター１の主枠５を形成する上枠体１３内に布設された案内レール（図示せず）上を走行し、帰路側９Ｂは、エスカレーター１の主枠５を形成する下枠体１６内に布設された案内レール（図示せず）上を反転走行するように構成されている。
【００１２】
上記上枠体１３は階段２の表の上側に設置され、下枠体１６は階段２の裏の下側に設置され、全体として主枠５を形成する各枠体１３，１６は詳述せざるも前記貫通穴６，７を貫通して連結（図示せず）されている。
【００１３】
さらに、上記上枠体１３は移動踏段９の往路側９Ａの両側に沿って欄干パネル１４，外装板１４Ａを固定しており、この欄干パネル１４の周縁に移動踏段９と同期して移動する移動手摺１５を案内している。
【００１４】
なお、上記上枠体１３と下枠体１６の階段２の終端部４Ｂ付近の連結部は、階段２の表裏に跨る上部機械室１７が形成され、上枠体１３の階段２の始端部４Ａ付近には下部機械室１８が形成されている。そして上部機械室１７内の階段裏面側には周知の駆動装置１９が設置され、小鎖車１９Ｓに巻掛けた駆動チェーン
２１を介して前記駆動鎖車１０を回転するように構成されている。さらに階段２の傾斜部４Ｃにおける上枠体１３と下枠体１６の連結部は、図２に示す構成となっている。ここで、上枠体１３は左右一対の側部材１３Ａと底部材１３Ｂを主部材として構成され、この中に移動踏段９の往路側９Ａを収納し、下枠体１６は、左右一対の側部材１６Ａと連結材１６Ｂ及び底部材１６Ｃを主部材として構成され、この中に移動踏段９の帰路側９Ｂを収納している。そして、上枠体１３の底部には、スペーサ１３Ｃ（高さ寸法調整用小片）と支持台１３Ｂを介した状態で支持体１３Ｅを貫通穴８を通して立設している。また、支持体１３Ｅは下枠体
１６の連結材１６Ｂに連結されるもので、その両端は締結ボルト１３Ｆ，１３Ｇで固設されて上枠体１３と下枠体１６とが強度的に一体化されている。
【００１５】
上記に加えて、支持体１３Ｅにより一体化された主枠５は、それを構成する下枠体１６の底部材１６Ｃに固設された支持台１６Ｄを介して支柱１６Ｅにより下階床１Ｄに支持される。
【００１６】
上記構成のエスカレーターにおいて、駆動装置１９によって駆動鎖車１０を回転させて上昇運転させる場合、踏段チェーン９Ｃに連結した往路側９Ａの各移動踏段９は、上端部で駆動鎖車１０によって方向変換され、貫通穴７を通して階段２の下側に回転し帰路側９Ｂに移動する。帰路側に移動した各移動踏段９は、貫通穴６から上枠体１３内に案内され、下部機械室１８内に向って移動する。各移動踏段９はさらに下部機械室１８内の従動鎖車１１で再度移動方向を変更され、往路側９Ａに戻り、乗客を連続して運搬する。
【００１７】
以上の実施例によれば、階段２上に移動踏段９の往路側９Ａを案内する上枠体１３を設置し、移動踏段９の帰路側９Ｂを案内する下枠体１６を階段２の下側に設置したので、移動踏段９の復路側９Ａと帰路側９Ｂとを階段２の上に設置する従来方法に比べて階段２の上側に位置するエスカレーターの高さ寸法は低くなり、省スペースとなる。さらに、上枠体１３と下枠体１６の最も長さが長く、その自重と乗客荷重の総和によって大きな撓み（沈下）が生じる傾斜部４Ｃにおいては、支持体１３Ｅ、それに支柱１６Ｅによって、下階床１Ｄで支持される構成であるのでエスカレーター１全体について安定した強度保持を行うことができる。また、上記構成によれば、階段２に夫々貫通穴６，７，８を開けるだけなので、階段２全体を解体するなどの大掛りな改築作業は必要ない。
【００１８】
次に、図３に基づいて第２の実施例の形態を説明する。この実施例は、階段２で上記の上枠体１３相当品を直接支持して設置する場合である。この基本構成は上記実施例と同じであり、また前記実施例と同一符号は同一物を示す。
【００１９】
この実施例のエスカレーター２０は、それの主枠２１を構成する上枠体２２を階段２の上面において、支持台２３で直接支持する構成である。この場合、上枠体２２の底部に単数の支持台２３、あるいは支持台２４を追加して複数配設する構成も含んでいる。そして、この支持台２３や２４によって最も負荷のかかる上枠体２２を確実に強度保持する仕組みである。また、下枠体２５は、ピット１２の内側で支柱２６（あるいは支持台）で支持する例を示してある。
【００２０】
この実施例の構成においては、上記第１の実施例の貫通穴８が不要となって改築作業が省力化されるほか、主枠２１全体の強度保持が確実なものとなる。
【００２１】
【発明の効果】
本発明によれば、既設階段の改築工事を最小限にできると共に、上枠体と下枠体を支持するに好適なエスカレーターの構成を得ることができる。
【図面の簡単な説明】
【図１】本発明によるエスカレーターの第１の実施例の形態を概念的に示す概域側面図。
【図２】図１のＩ−Ｉ線に沿う断面図。
【図３】本発明によるエスカレーターの第２の実施例の形態を概念的に示す概略側断面図。
【符号の説明】
１，２０…エスカレーター、１Ｕ…上階床、１Ｄ…下階床、２…階段、４Ａ…始端部、４Ｂ…終端部、４Ｃ…傾斜部、５，２１…主枠、６，７，８…貫通穴、９…移動踏段、９Ａ…往路側、９Ｂ…帰路側、１３，２２…上枠体、１３Ｅ…支持体、１６，２５…下枠体、１６Ｅ，２６…支柱（支持台）、２３，２４…支持台。
【図１】
0003562400.tif 000002
【図２】
0003562400.tif 000003
【図３】
0003562400.tif 000004